(57)【要約】【課題】改良されたファン組立体を提供すること。【解決手段】空気の流れを生成するためのファン組立体は、空気入口（２０）と、空気出口（１４）と、インペラ（６４）と、前記空気入口から前記空気出口を通過する空気流を生成するため前記インペラを回転させるモータ（６８）と、を備える。空気出口（１４）は、空気流を受け入れるための内部通路（９４）及び空気流を放出するための口部（２６）を含む。空気出口は、口部から放出される空気流によってファン組立体の外部からの空気がそこを通って引き込まれる開口（２４）を形成する。モータ（６８）は、使用時に少なくとも５０００ｒｐｍの速度で回転することができるロータを有する。【選択図】図２
2010203453.tif 000002
【特許請求の範囲】
【請求項１】
空気の流れを生成するためのファン組立体であって、
前記ファン組立体は、空気入口と、空気出口と、インペラと、前記空気入口から前記空気出口を通過する空気流を生成するため前記インペラを回転させるモータと、を備え、
前記空気出口が、前記空気流を受け入れるための内部通路及び前記空気流を放出するための口部を含み、
前記空気出口は、前記口部から放出される空気流によって前記ファン組立体の外部からの空気がそこを通って引き込まれる開口を形成し、
前記モータは、使用時に少なくとも５０００ｒｐｍの速度で回転することができるロータを有する、
ことを特徴とするファン組立体。
【請求項２】
前記ロータが、少なくとも８０００ｒｐｍの速度で回転することができる、請求項１に記載のファン組立体。
【請求項３】
前記ロータが、少なくとも９０００ｒｐｍの速度で回転することができる、請求項１又は請求項２に記載のファン組立体。
【請求項４】
前記インペラ及びモータを収容するベースを備える、請求項１乃至３のいずれか１項に記載のファン組立体。
【請求項５】
前記空気入口が前記ベースの側壁内に配置される、請求項４に記載のファン組立体。
【請求項６】
前記内部通路が、前記空気流を２つの気流に分割して、各気流を前記開口のそれぞれの側面に沿って配向するように成形される、請求項１乃至５のいずれか１項に記載のファン組立体。
【請求項７】
前記空気出口が、前記内部通路及び前記口部を共に形成する環状内側ケーシングセクション及び環状外側ケーシングセクションを含む、請求項１乃至６のいずれか１項に記載のファン組立体。
【請求項８】
前記口部が、前記内側ケーシングセクションの外面と前記外側ケーシングセクションの内面との間に配置された出口を含む、請求項７に記載のファン組立体。
【請求項９】
前記出口がスロットの形態である、請求項８に記載のファン組立体。
【請求項１０】
前記出口が、０．５から５ｍｍの範囲の幅を有する、請求項８又は請求項９に記載のファン組立体。
【請求項１１】
前記空気出口が、前記口部に隣接して配置された表面を含み、前記口部が前記空気流をその上に配向するように配置される、請求項１乃至１０のいずれか１項に記載のファン組立体。
【請求項１２】
前記表面がコアンダ面である、請求項１１に記載のファン組立体。
【請求項１３】
前記空気出口が、前記コアンダ面の下流側に配置されているディフューザを含む、請求項１１又は請求項１２に記載のファン組立体。
【請求項１４】
前記モータがＤＣブラシレスモータである、請求項１乃至１３のいずれか１項に記載のファン組立体。
【請求項１５】
前記ファン組立体が、４００から１５００ｍｍの範囲の高さを有する、請求項１乃至１４のいずれか１項に記載のファン組立体。
【発明の詳細な説明】
【技術分野】
【０００１】
本発明は、ファン組立体に関する。好ましい実施形態では、本発明は、部屋、オフィス又は他の家庭環境において空気の流れを生成するためのタワーファンのような家庭用ファンに関する。
【背景技術】
【０００２】
従来の家庭用ファンは、典型的には、軸線の周りで回転するように取り付けられた羽根又はベーンのセットと、羽根のセットを回転させて空気流を発生させるための駆動装置とを含む。空気流の移動及び循環により「風冷」又は微風が生じ、その結果、ユーザは、対流及び蒸発によって熱が放散されると冷却効果を受ける。
【０００３】
このようなファンは、様々なサイズ及び形状で利用可能である。例えば、天井ファンは、少なくとも１ｍの直径にすることができ、通常は、天井から吊り下げた状態で取り付けられて空気の下降側の流れを提供して、部屋を冷却するようにする。他方、卓上ファンは、約３０ｃｍの直径であることが多く、通常は自立型及び携帯型である。床置型タワーファンは、一般に、高さ約１ｍの細長い垂直に延びるケーシングを含み、通常、３００から５００Ｌ／ｓの範囲の空気流量を発生させるために回転羽根の１つ又はそれ以上のセットを収容する。首振り機構を利用してタワーファンからの出口を回転させることができ、空気流が部屋の広い区域にわたって掃引されるようにする。
【０００４】
このタイプの配置の欠点は、ファンの回転羽根によって生成された空気流が、全体的に均一ではない点である。これは、ファンの羽根面及び外向き面にわたる変動に起因する。これらの変動の範囲は、製品毎に異なり、更に個々のファン機械毎に異なる可能性がある。これらの変動は、一連の空気の脈動として感じる場合があり、ユーザにとって心地よいものではない可能性がある、一様でない又は「ムラのある」空気流の発生を生じる結果となる。
【０００５】
家庭環境では、電気器具は、空間的制限によって可能な限り小さく小型であることが望ましい。電気器具の部品は、外向きに突出すること、又はユーザが羽根などの何らかの可動部品に触れることは望ましいことではない。多くのファンは、ファンの可動部品からの損傷を防ぐために、羽根の周囲にケージ又はシュラウドのような安全機構を有する傾向があるが、このようなケージ部品は清掃が困難な場合がある。
【先行技術文献】
【非特許文献】
【０００６】
【非特許文献１】Ｒｅｂａ著、Ｓｃｉｅｎｔｉｆｉｃ  Ａｍｅｒｉｃａｎ、第２１４巻、１９９６年６月、ｐ８４−９２
【発明の概要】
【０００７】
本発明は、空気の流れを生成するためのファン組立体を提供し、ファン組立体は、空気入口と、空気出口と、インペラと、空気入口から空気出口を通る空気流を生成するためインペラを回転させるモータとを備え、空気出口が、空気流を受け入れるための内部通路及び空気流を放出するための口部を含み、空気出口が、口部から放出される空気流によってファン組立体の外部からの空気が引き込まれる開口を形成し、モータは、使用時に少なくとも５０００ｒｐｍの速度で回転することができるロータを有する。
【０００８】
このファン組立体によって、羽根付きファンを用いることなく空気の流れを発生させ、冷却効果をもたらすことができる。ファン組立体によって生成される空気の流れは、弱い乱流を有し、且つ他の従来技術の装置によって提供されるものに比べてより線形の空気流分布を有する空気流であるという利点を有する。これは、空気流を受け入れるユーザの快適性を向上させることができる。インペラを駆動するための高速モータを設けることによって、口部を通って放出される空気流の運動量は、内部通路への空気流の送給、及びその結果生じる口部通過時の空気流の狭窄によって損なわれることがない。
【０００９】
好ましくは、ロータは、少なくとも８０００ｒｐｍの速度で、より好ましくは、少なくとも９０００ｒｐｍの速度で回転することができる。モータは、好ましくはＤＣブラシレスモータを含む。これにより、従来のブラシ付きモータで用いるブラシによる摩擦損失及びカーボン屑を回避することが可能になる。カーボン屑及び排出物質の減少は、病院又はアレルギーを起こす人の周囲など、クリーンな又は汚染物質に敏感な環境において有利である。羽根付きファンにおいて一般に用いられる誘導モータもブラシレスであるが、ＤＣブラシレスモータは、誘導モータよりも遙かに広範囲の作動速度をもたらすことができる。インペラは、好ましくは混成流インペラである。モータ及びインペラは、好ましくは、ファン組立体のベース内に位置付けられ、空気出口は、好ましくは、ベース上に取り付けられる。ベースは、好ましくは、ベースの側壁に位置付けられる空気入口を含む。例えば、ベースの空気入口は、アパーチャのアレイを有するグリルを含むことができる。ベースは、好ましくは空気出口を有し、該空気出口は、空気流を実質的に垂直方向で空気出口の内部通路に搬送するように配置される。ベースは、好ましくは円筒形状であり、好ましくは、１００から３００ｍｍの範囲の高さを有する。ファン組立体は、好ましくは、４００から１５００ｍｍの範囲の高さを有する。
【００１０】
ファン組立体及び特に好ましい実施形態のファンに関する以下の説明では、用語「羽根無し」は、可動羽根を用いることなく空気流がファン組立体から前方に放出又は噴射されるファン組立体を説明するのに用いられる。この定義により、羽根無しファン組立体は、空気流がユーザに向けて又は部屋中に配向される可動羽根の無い出力区域又は放出ゾーンを有すると考えることができる。羽根無しファン組立体の出力区域には、ポンプ、発電機、モータ、或いは、空気流を発生させるモータロータ及び／又は羽根付きインペラのような回転装置を含むことができる他の流体移送装置など、種々の異なる供給源の１つによって発生される一次空気流を供給することができる。発生した一次空気流は、ファン組立体の外側の部屋空間又は他の環境から内部通路を介して口部を通過し、次いで、空気出口の口部を通り部屋空間に出ることができる。
【００１１】
従って、羽根無しとしてのファン組立体の説明は、電源及び二次的なファン機能に必要なモータなどの構成部品の説明にまで及ぶものではない。二次ファン機能の例としては、ファン組立体の照明、調節及び首振りを含むことができる。
【００１２】
空気が口部から放出される方向は、好ましくは、空気流が内部通路の少なくとも一部を通って流れる方向に対して実質的に直角である。好ましい実施形態では、空気流は、内部通路の少なくとも一部を通って実質的に垂直方向に流れ、空気は、口部から実質的に水平方向に放出される。内部通路は、好ましくは、空気出口の前部に向けて配置され、口部は、好ましくは、空気出口の後方に向けて配置され、且つ空気出口の前部に向けて開口を通して空気を配向するように配置される。その結果、好ましい実施形態では、口部は、空気流の各部分が内部通路から口部の出口を通過するときにその流れ方向を実質的に反転するように成形される。口部は、好ましくは、実質的にＵ字形の断面であり、その出口に向かって狭くなるのが好ましい。
【００１３】
空気出口の形状は、羽根付きファンのための空間を含む要件によって制約されない。好ましくは、空気出口は、好ましくは開口を囲むノズルを含む。例えば、ノズルは、５０から２５０ｃｍの範囲の距離を開口の付近に延びることができる。好ましい実施形態では、空気出口は、好ましくは、５００から１０００ｍｍの範囲の高さ、及び１００から３００ｍｍの範囲の幅を有する細長い環状ノズルである。或いは、空気出口は、実質的に円形とすることができる。空気出口は、好ましくは、一方の端部で空気流を受け入れて、該空気流を２つの気流に分割するように成形され、好ましくは、各気流は、開口のそれぞれの細長い側面に沿って流れる。
【００１４】
空気出口は、好ましくは、内部通路、口部及び開口を形成する環状内側ケーシングセクション及び環状外側ケーシングセクションを含む、ケーシングを備える。各ケーシングセクションは、複数の構成部品を含むことができるが、好ましい実施形態では、これらのセクションの各々は単一の環状構成部品から形成される。外側ケーシングセクションは、好ましくは、部分的に内側ケーシングセクションと重なり合い、内側ケーシングセクションの外面と外側ケーシングセクションの内面との重なり部分間に口部の少なくとも１つの出口を形成するように成形される。上記または各出口は、好ましくはスロットの形態であり、０．５から５ｍｍの範囲の幅を有するのが好ましい。従って口部は、好ましくは、空気流がファン組立体から放出されるスロットを含む。好ましい実施形態では、口部は、開口の周りに離間された複数のこのような出口を含む。例えば、１つ又はそれよりも多いシール部材が口部内に配置されて、離間して配置された複数の出口を形成することができる。好ましくは、出口は実質的に同じサイズのものである。空気出口が環状の細長ノズルの形態である好ましい実施形態では、各出口は、好ましくはノズルの内周のそれぞれの細長い側面に沿って配置される。
【００１５】
空気出口は、内側ケーシングセクション及び外側ケーシングセクションの重なり部分を強制的に引き離すようにするための複数のスペーサを含むことができる。これにより、実質的に均一な出口幅が開口の周りで得られるようにすることができる。出口幅の均一性は、口部からの空気の比較的滑らかで実質的に均等な出力をもたらす。
【００１６】
空気出口は、口部に隣接して位置付けられた表面、好ましくはコアンダ面を含むことができ、口部が配置されて、そこから放出される空気流をコアンダ面上に配向する。好ましい実施形態では、内側ケーシングセクションの外面は、コアンダ面を形成するように成形される。コアンダ面は、表面に近い出力オリフィスから出る流体流がコアンダ効果を示す公知のタイプの表面である。流体は、表面全体に近接し、ほぼ「密着して」又は「張り付いて」流れる傾向がある。コアンダ効果は、一次空気流がコアンダ面上に配向される同伴に関しての既に証明され且つ十分に立証された方法である。コアンダ面の特徴及びコアンダ面上の流体流の効果に関する説明は、Ｒｅｂａ著、Ｓｃｉｅｎｔｉｆｉｃ  Ａｍｅｒｉｃａｎ、第２１４巻、１９９６年６月、ｐ８４−９２のような記事で見ることができる。コアンダ面を使用することにより、ファン組立体の外部からの大量の空気が、口部から放出される空気により開口を通って引き込まれる。
【００１７】
好ましい実施形態では、空気流は、ファン組立体を通って生成される。以下の説明では、この空気流を一次空気流と呼ぶ。一次空気流は、口部から放出され、好ましくはコアンダ面上を通過する。一次空気流は、ノズルの口部を囲む空気を同伴し、これは、一次空気流及び同伴空気の両方をユーザに供給する空気増量器としての役割を果たす。同伴空気は、本明細書では二次空気流と呼ぶ。二次空気流は、口部を囲む部屋空間、領域又は外部環境から、更に移動によってファン組立体の周囲の他の領域から引き込まれ、大部分は開口を通って流れる。コアンダ面上に配向された一次空気流と同伴二次空気流と組み合わせたものが、開口から前方に放出又は噴射される総空気流に等しい。総空気流は、ファン組立体が冷却に好適な空気の流れを生成するのに十分である。好ましくは、口部を囲む空気の同伴は、滑らかな全体の出力を維持しながら、一次空気流が少なくとも５倍、より好ましくは少なくとも１０倍に増幅されるようなものである。好ましくは、空気出口は、コアンダ面の下流側に位置付けられるディフューザを含む。ディフューザは、滑らかで均等な出力を維持しながら放出された空気流をユーザの場所に向けて配向し、ユーザが「ムラのある」流れを感じることなく好適な冷却効果を発生させる。
【００１８】
空気出口が細長いノズルの形態である場合、ノズルは、内部通路内に配置され且つ各々が空気流の一部分を口部に向けて配向するための、複数の固定ガイドベーンを含む。このようなガイドベーンの使用は、口部を通る空気流の実質的に均一な分布を生成するのを助けることができる。
【００１９】
ベースの空気入口は、アパーチャのアレイを有するグリルを含むことができる。ベースの出口は、好ましくは、実質的に垂直方向の空気流をノズル内に搬送するように配置される。ベースは、好ましくは円筒形状であり、好ましくは、１００から３００ｍｍの範囲の高さを有する。ファン組立体は、好ましくは、４００から１５００ｍｍの範囲の高さを有する。
【図面の簡単な説明】
【００２０】
【図１】タワーファンの正面図である。
【図２】図１のファンの斜視図である。
【図３】図１のファンのベースの断面図である。
【図４】図１のファンのノズルの分解図である。
【図５】図４に示す区域Ａの拡大図である。
【図６】図４のノズルの正面図である。
【図７】図６の線Ｅ−Ｅに沿ったノズルの断面図である。
【図８】図６の線Ｄ−Ｄに沿ったノズルの断面図である。
【図９】図８に示すノズルの断面の拡大図である。
【図１０】図６の線Ｃ−Ｃに沿ったノズルの断面図である。
【図１１】図１０に示すノズルの断面の拡大図である。
【図１２】図６の線Ｂ−Ｂに沿ったノズルの断面図である。
【図１３】図１２に示すノズルの断面の拡大図である。
【図１４】図１のファンのノズルの一部を通る空気流を示す。
【発明を実施するための形態】
【００２１】
次に、例示として、添付図面を参照しながら本発明の実施形態を説明する。
【００２２】
図１及び２は、羽根無しファン組立体の１つの実施形態を示す。この実施形態では、羽根無しファン組立体は、ベース１２と、ベース１２上に取り付けられて支持されるノズル１４の形の空気出口とを含む、家庭用携帯型タワーファン１０の形態である。ベース１２は、ディスク状ベースプレート１８上に任意選択的に取り付けられた実質的に円筒形の外側ケーシング１６を含む。外側ケーシング１６は、外側ケーシング１６内に形成されたアパーチャの形態で複数の空気入口２０を含み、これを通って一次空気流が外部環境からベース１２に引き込まれる。ベース１２は更に、ファン１０の動作を制御するためにユーザ操作可能なボタン２１及びユーザ操作可能なダイヤル２２を含む。この実施形態では、ベース１２は、１００から３００ｍｍの範囲の高さを有し、外側ケーシング１６は、１００から２００ｍｍの範囲の直径を有する。
【００２３】
ノズル１４は、細長い環状形状を有し、細長い中心開口２４を形成する。ノズル１４は、５００から１２００ｍｍの範囲の高さと、１５０から４００ｍｍの範囲の幅とを有する。この実施例では、ノズルの高さは約７５０ｍｍであり、ノズルの幅は約１９０ｍｍである。ノズル１４は、開口２４を通してファン１０から空気を放出するためにファン１０の後方に向けて配置された口部２６を含む。口部２６は、少なくとも部分的に開口２４のまわりに延びる。ノズル１４の内周は、口部２６に隣接して配置され且つその上で口部２６がファン１０から放出される空気を配向する、コアンダ面２８と、コアンダ面２８の下流側に配置されるディフューザ表面３０と、ディフューザ表面３０の下流側に配置されるガイド表面３２とを含む。ディフューザ表面３０は、ファン１０から放出される空気流を助けるように、開口２４の中心軸線Ｘから離れて先細に構成される。ディフューザ表面３０と開口２４の中心軸線Ｘとの間に定められる角度は、５から１５°の範囲内であり、この実施形態では約７°である。ガイド表面３２は、ディフューザ表面３０に対してある角度で配置されて、ファン１０からの冷却空気流の効率的な送給を更に助ける。図示の実施形態では、ガイド表面３２は、開口２４の中心軸線Ｘに対して実質的に平行に配置されて、口部２６から放出される空気流に対して実質的に平坦で且つ実質的に滑らかな面を提示する。視覚的に魅力的な先細面３４は、ガイド表面３２から下流側に配置され、開口２４の中心軸線Ｘに対して実質的に垂直に位置する先端面３６で終端する。先細面３４と開口２４の中心軸線Ｘとの間に定められる角度は、好ましくは約４５°である。開口２４の中心軸線Ｘに沿って延びる方向のノズル２４の全体の深さは、１００から１５０ｍｍの範囲であり、この実施例では約１１０ｍｍである。
【００２４】
図３は、ファン１０のベース１２の断面図を示す。ベース１２の外側ケーシング１６は、下側ケーシングセクション４０及び下側ケーシングセクション４０上に取り付けられた主ケーシングセクション４２を含む。下側ケーシングセクション４０は、図１及び２に示すユーザ操作可能ボタン２１の押下及び／又はユーザ操作可能ダイヤル２２の操作に応答してファン１０の動作を制御するために、全体を符号４４で示したコントローラを収容する。下側ケーシングセクション４０は、任意選択的に、遠隔の制御器（図示せず）から制御信号を受け取るため、及びこれらの制御信号をコントローラ４４に伝達するためのセンサ４６を含むことができる。これらの制御信号は、好ましくは赤外線信号である。センサ４６は、制御信号が、ベース１２の外側ケーシング１６の下側ケーシングセクション４０に入るウィンドウ４７の後方に位置付けられる。発光ダイオード（図示せず）は、ファン１０が待機モード状態にあるかどうかを示すために設けることができる。下側ケーシングセクション４０はまた、下側ケーシングセクション４０に対して主ケーシングセクション４２を首振り動作させるために、全体を符号４８で示した機構を収容する。下側ケーシングセクション４０に対する主ケーシングセクション４２の各首振りサイクルの範囲は、好ましくは、６０°から１２０°であり、この実施形態では約９０°である。この実施形態では、首振り機構４８は、１分間当たりに約３から５の首振りサイクルを実施するよう構成される。主電源ケーブル５０は、電力をファン１０に供給するために下側ケーシングセクション４０に形成されたアパーチャを貫通して延びる。
【００２５】
主ケーシングセクション４２は、ベース１２の外側ケーシング１６の空気入口２０を設けるためにアパーチャ６２のアレイが形成された円筒形グリル６０を含む。主ケーシングセクション４２は、アパーチャ６２を通って一次空気流をベース１２に引き込むためのインペラ６４を収容する。好ましくは、インペラ６４は、混成流インペラの形態である。インペラ６４は、モータ６８から外向きに延びる回転シャフト６６に接続される。この実施形態では、モータ６８は、ダイヤル２２のユーザ操作及び／又は遠隔コントローラから受け取る信号に応答して、コントローラ４４により可変にされる速度を有するＤＣブラシレスモータである。モータ６８の最高速度は、好ましくは、５，０００から１０，０００ｒｐｍの範囲内である。モータ６８は、下側部分７２に接続された上側部分７０を含むモータバケット内に収容される。モータバケットの上側部分７０は、らせん状羽根を有する固定ディスクの形態のディフューザ７４を含む。モータバケットは、主ケーシングセクション４２に接続されたほぼ裁頭円錐インペラハウジング７６内に位置付けられ、この上に取り付けられる。インペラ６４及びインペラハウジング７６は、インペラ６４が、インペラハウジング７６の内面に近接するが接触しないように成形される。実質的に環状の入口部材７８は、一次空気流をインペラハウジング７６に導くためにインペラハウジング７６の底部に接続される。インペラハウジング７６は、一次空気流が、インペラハウジング７６から実質的に垂直方向に排出されるような向きにされる。
【００２６】
輪郭上側ケーシングセクション８０は、例えば、スナップ嵌め接続８２によってベース１２の主ケーシングセクション４２の開放上端に接続される。Ｏリングシール部材８４を用いて、ベース１２の主ケーシングセクション４２と上側ケーシングセクション８０との間に気密シールを形成する。上側ケーシングセクション８０は、主ケーシングセクション４２から一次空気流を受け入れるためのチャンバ８６と、ベース１２からそこを通って一次空気流がノズル１４に移動するアパーチャ８８とを含む。
【００２７】
好ましくは、ベース１２は更に、ベース１２からの騒音放射を低減するための消音発泡体を含む。この実施形態では、ベース１２の主ケーシングセクション４２は、グリル６０の下に位置付けられる第１のほぼ円筒形の発泡部材８９ａと、インペラハウジング７６と入口部材７８との間に位置付けられる第２の実質的に環状の発泡部材８９ｂと、モータバケット内に位置付けられる第３の実質的に環状の発泡部材８９ｃとを含む。
【００２８】
ここで、ファン１０のノズル１４を図４から図１３を参照して説明する。ノズル１４は、細長い環状内側ケーシングセクション９２に接続されてこの付近から延びる細長い環状外側ケーシングセクション９０を含むケーシングを備える。内側ケーシングセクション９２は、ノズル１４の中心開口２４を形成し、コアンダ面２８、ディフューザ表面３０、ガイド表面３２及び先細面３４を形成するように成形された外周面９３を有する。
【００２９】
外側ケーシングセクション９０及び内側ケーシングセクション９２は共に、ノズル１４の環状内部通路９４を形成する。内部通路９４は、ファン１０の前部に向かって位置付けられる。内部通路９４は、開口２４の付近に延びて、従って、中心開口２４のそれぞれの細長側面に各々隣接する２つの実質的に垂直に延びるセクション、すなわち、垂直に延びるセクションの上端を接合する上側湾曲部と、垂直に延びるセクションの下端を接合する下側湾曲部とを含む。内部通路９４は、外側ケーシングセクション９０の内周面９６及び内側ケーシングセクション９２の内周面９８によって境界付けられる。外側ケーシングセクション９０は、例えば、スナップ嵌め接続によってベース１２の上側ケーシングセクション８０に及びこの上に接続されるベース１００を含む。外側ケーシングセクション９０のベース１００は、ベース１２の上側ケーシングセクション８０のアパーチャ８８と整列されたアパーチャ１０２を含み、これを通って一次空気流がファン１０のベース１２からノズル１４の内部通路９４の下側湾曲部に流入する。
【００３０】
特に図８及び９を参照すると、ノズル１４の口部２６は、ファン１０の後方に向けて位置付けられる。口部２６は、外側ケーシングセクション９０の内周面９６及び内側ケーシングセクション９２の外周面９３それぞれの重なり又は対向部分１０４、１０６によって形成される。この実施形態では、口部２６は、各々がノズル１４の中心開口２４のそれぞれの細長側面に沿って延び、且つノズル１４の内部通路９４のそれぞれの垂直に延びるセクションと流体連通した２つのセクションを含む。口部２６の各セクションを通る空気流は、ノズル１４の内部通路９４のそれぞれの垂直に延びる部分を通る空気流に対して実質的に垂直である。口部２６の各セクションは、実質的にＵ字形の断面であり、結果として、空気流の方向は、該空気流が口部２６を通って流れるときに実質的に反転される。この実施形態では、外側ケーシングセクション９０の内周面９６及び内側ケーシングセクション９２の外周面９３の重なり部分１０４、１０６は、口部２６の各セクションが、出口１１０にいくほど狭くなる先細部分１０８を含むように成形される。各出口１１０は、実質的に垂直に延びるスロットの形態であり、好ましくは、０．５から５ｍｍの範囲の比較的一定の幅を有する。この実施形態では、各出口１１０は、約１．１ｍｍの幅を有する。
【００３１】
従って、口部２６は、中心開口２４のそれぞれの側面上に各々配置された２つの出口１１０を含むと考えることができる。図４に戻ると、ノズル１４は更に、ノズル１４の内部通路９４の湾曲セクションから実質的に空気の漏出がないように、外側ケーシングセクション９０と内側ケーシングセクション９２との間にシールを各々形成するための２つの湾曲シール部材１１２、１１４を含む。
【００３２】
一次空気流を口部２６内に配向するために、ノズル１４は、内部通路９４内に配置され、且つ各々が空気流の一部分を口部２６に配向するための複数の固定ガイドベーン１２０を含む。ガイドベーン１２０は、図４、５、７、１０及び１１に示される。ガイドベーン１２０は、好ましくは、ノズル１４の内側ケーシングセクション９２の内周面９８と一体化される。ガイドベーン１２０は、空気流が口部２６内に配向されたときに該空気流の速度の損失があまりないように湾曲される。この実施形態では、ノズル１４は、２つのセットのガイドベーン１２０を含み、該ガイドベーン１２０の各セットは、内部通路９４のそれぞれの垂直に延びる部分に沿って流れる空気を口部２６の関連セクションに配向する。各セット内では、ガイドベーン１２０は、ガイドベーン１２０間に複数の通路１２２を形成するように実質的に垂直に整列され且つ均等に離間して配置され、これらを通って空気が口部２６内に配向される。ガイドベーン１２０の均等な間隔は、口部２６のセクションの長さに沿って気流の実質的に均等な分布を可能にする。
【００３３】
図１１を参照すると、ガイドベーン１２０は、好ましくは、各ガイドベーン１２０の一部分１２４が、外側ケーシングセクション９０の内周面９６及び内側ケーシングセクション９２の外周面９３の重なり部分１０４、１０６を強制的に引き離すように、ノズル２４の外側ケーシングセクション９０の内周面９６と係合するよう成形される。これは、口部２６の各セクションの長さに沿って実質的に一定のレベルで各出口１１０の幅を維持するのを助けることができる。図７、１２及び１３を参照すると、この実施形態では、同様に外側ケーシングセクション９０の内周面９６及び内側ケーシングセクション９２の外周面９３の重なり部分１０４、１０６を強制的に引き離すようにするために、付加的なスペーサ１２６が口部２６の各セクションの長さに沿って設けられ、所望のレベルで出口１１０の幅を維持するようにする。各スペーサ１２６は、２つの隣接するガイドベーン１２０間の実質的に中間に位置付けられる。製造を容易にするために、スペーサ１２６は、好ましくは、ノズル１４の内側ケーシングセクション９２の外周面９８と一体化される。付加的なスペーサ１２６は、必要に応じて隣接するガイドベーン１２０間に設けてもよい。
【００３４】
使用時には、ユーザがファン１０のベース１２上のボタン２１の適切な１つを押下すると、コントローラ４４は、モータ６８を作動してインペラ６４を回転させ、空気入口２０を通るファン１０のベース１２に一次空気流を引き込ませるようにする。一次空気流は、１秒間当たり最大３０リットル、より好ましくは、１秒間当たり最大５０リットルとすることができる。一次空気流は、ベース１２のインペラハウジング７６及び上側ケーシングセクション８０を通過し、ノズル１４の外側ケーシングセクション９０のベース１００に流入し、ここから一次空気流がノズル１４の内部通路９４に入る。
【００３５】
同様に図１４を参照すると、符号１４８で示した一次空気流は、２つの気流に分割され、そのうちの１つが図１４に符号１５０で示され、ノズル１４の中心開口２４の周りで反対方向に流れる。各気流１５０は、ノズル１４の内部通路９４の２つの垂直に延びるセクションのそれぞれ１つに流入し、内部通路９４のこれらのセクションの各々を通って実質的に垂直方向上方に搬送される。内部通路９４のこれらのセクションの各々内に配置されるガイドベーン１２０のセットは、気流１５０を内部通路９４のその垂直に延びるセクションに隣接して配置される口部２６のセクションに配向する。ガイドベーン１２０の各々は、口部２６のセクションの長さに沿って気流１５０の実質的に均一な分布があるように、気流１５０のそれぞれの部分１５２を口部２６のセクションに配向する。ガイドベーン１２０は、気流１５０の各部分１５２が実質的に水平方向で口部２６に流入するように成形される。口部２６の各セクション内では、気流の一部の流れ方向は、図１４に符号１５４で示すように実質的に反転される。気流の一部は、口部２６のセクションがその出口１１０の方向に向かって先細になるにつれて妨げられ、スペーサ１２６の周囲に運ばれて、同様に実質的に水平方向で出口１１０を通って放出される。
【００３６】
口部２６から放出される一次空気流は、ノズル１４のコアンダ面２８上に配向され、二次空気流が、外部環境から、特に口部２６の出口１１０周囲の領域からとノズル１４の後部の周囲から空気を同伴することによって生成されるようにする。この二次空気流は、大部分はノズル１４の中心開口２４を通って流れ、ここで、一次空気流と組み合わされて、ノズル１４から前方に噴出される総空気流１５６又は空気の流れを生成する。
【００３７】
ノズル１４の口部２６に沿った一次空気流の均等分布は、ディフューザ表面３０の上を均等に通過することを保証する。ディフューザ表面３０は、膨張制御の領域を通る空気流を移動させることによって空気流の平均速度を低下させる。開口２４の中心軸線Ｘに対するディフューザ表面３０の比較的浅い角度は、空気流の膨張を漸次的に発生させる。過酷な又は急激な発散は、場合によっては空気流を崩壊させるようになり、膨張領域内に渦流が発生する。このような渦流は、空気流における乱流及び関連騒音の増加につながる可能性があり、これは、特にファンのような家庭用製品においては望ましくない場合がある。ガイドベーン１２０が存在しない場合、一次空気流の大半は、口部２６の上側部分を通ってファン１０から離れ、開口２４の中心軸と鋭角をなして口部２６から上方に出る傾向となる。結果として、ファン１０によって発生した空気の流れ内には一様でない空気の分布があることになる。更に、ファン１０からの空気流の大半は、ディフューザ表面３０によって適切には拡散されず、遙かに大きな乱流を有する空気の流れが発生することになる。
【００３８】
ディフューザ表面３０を越えて前方に噴射された空気流は、継続して発散する傾向になることがある。開口３０の中心軸線Ｘに対して実質的に平行に延びたガイド表面３２の存在は、空気流をユーザの方向又は部屋内に集束させる傾向がある。
【００３９】
モータ６８の速度に応じて、ファン１０から前方に噴射される空気の流れの質量流量は、１秒間当たり最大５００リットル、好ましい実施形態では１秒間当たり最大７００リットルとすることができ、空気の流れの最大速度は、３から４ｍ／ｓの範囲にすることができる。
【００４０】
本発明は、上述の詳細な説明に限定されるものではない。当業者には変形形態が明らかであろう。
【００４１】
例えば、ファンのベース及びノズルは、異なる形及び／又は形状のものとすることができる。口部の出口は修正することができる。例えば、口部の出口は、空気流を最大にするような様々な間隔に拡大又は狭窄することができる。口部から放出される空気流は、コアンダ面のような表面上を通過することができるが、代替として、空気流は、口部を通って放出され、隣接する面上を通過することなくファンから前方に噴射されてもよい。コアンダ効果は、多数の異なる表面にわたって作用することができ、或いは、多数の内部又は外部設計を組み合わせて用いて、必要な流れ及び同伴を得ることができる。ディフューザ表面は、様々なディフューザ長さ及び構造から構成することができる。ガイド表面は様々な長さとすることができ、異なるファン要件及び異なるタイプのファン性能の必要に応じて、多数の異なる位置及び向きに配置することができる。照明又は時計、或いはＬＣＤディスプレイのような追加の機能をノズルによって形成された中心開口内に設けることができる。
【符号の説明】
【００４２】
１０  ファン
１２  ベース
１４  ノズル
１６  外側ケーシング
１８  ディスク状ベースプレート
２０  空気入口
２１  ユーザ操作可能ボタン
２２  ユーザ操作可能ダイヤル
２４  開口
３０  ディフューザ表面
３４  先細面
３６  先端面
４０  下側ケーシングセクション
４２  主ケーシングセクション
４７  ウィンドウ
１００  ベース
【図１】
2010203453.tif 000003
【図２】
2010203453.tif 000004
【図３】
2010203453.tif 000005
【図４】
2010203453.tif 000006
【図５】
2010203453.tif 000007
【図６】
2010203453.tif 000008
【図７】
2010203453.tif 000009
【図８】
2010203453.tif 000010
【図９】
2010203453.tif 000011
【図１０】
2010203453.tif 000012
【図１１】
2010203453.tif 000013
【図１２】
2010203453.tif 000014
【図１３】
2010203453.tif 000015
【図１４】
2010203453.tif 000016
【外国語明細書】
2010203453.tif 000017
2010203453.tif 000018
2010203453.tif 000019
2010203453.tif 000020
2010203453.tif 000021
2010203453.tif 000022
2010203453.tif 000023
2010203453.tif 000024
2010203453.tif 000025
2010203453.tif 000026
2010203453.tif 000027
2010203453.tif 000028
2010203453.tif 000029
2010203453.tif 000030
2010203453.tif 000031
2010203453.tif 000032
2010203453.tif 000033
2010203453.tif 000034
2010203453.tif 000035
2010203453.tif 000036
2010203453.tif 000037
2010203453.tif 000038
2010203453.tif 000039
2010203453.tif 000040
2010203453.tif 000041
2010203453.tif 000042
2010203453.tif 000043
2010203453.tif 000044